(57)【特許請求の範囲】
【請求項１】
仕切り紙モードを有する画像形成装置において、前記仕切り紙モード時の仕切り紙がＯＨＰシートであるか否かを検知する検知手段と、前記検知手段による検知結果が前記ＯＨＰシートである場合に画像形成ユニットの動作を停止する制御を行う制御手段と、を備えたことを特徴とする画像形成装置。
【請求項２】
仕切り紙モードを有する画像形成装置において、前記仕切り紙モード時の仕切り紙がＯＨＰシートであるか否かを検知する検知手段と、前記検知手段による検知結果が前記ＯＨＰシートである場合にジョブ内の当該ＯＨＰシートについての使用有無をチェックした結果、前記仕切り紙以外の用紙が当該ＯＨＰシートである場合に画像形成ユニットの動作を停止する制御を行う制御手段と、を備えたことを特徴とする画像形成装置。
【請求項３】
仕切り紙モードを有する画像形成装置において、前記仕切り紙モード時の仕切り紙がＯＨＰシートであるか否かを検知する検知手段と、前記検知手段による検知結果が前記ＯＨＰシートである場合にジョブ内の当該ＯＨＰシートについての使用有無をチェックした結果、前記仕切り紙以外の用紙が当該ＯＨＰシートである場合に複数の仕切り紙トレイのうちＯＨＰシート用でない仕切り紙トレイを優先して選択する制御を行う制御手段と、を備えたことを特徴とする画像形成装置。
【請求項４】
請求項３記載の画像形成装置において、前記制御手段は、前記複数の仕切り紙トレイの全てがＯＨＰシート用である場合に画像形成ユニットの動作を停止することを特徴とする画像形成装置。
【発明の詳細な説明】
【技術分野】
【０００１】
本発明は、仕切り紙モードを有する画像形成装置に関し、特に、ＯＨＰシートが混在する場合の仕切り紙モードの制御方法に関するものである。
【背景技術】
【０００２】
部の区切りやジョブの区切りに白紙を挿入する仕切り紙モードを有する画像形成装置が普及している。ところで給紙トレイにはＯＨＰシートもセットされる。ＯＨＰシートは透明なシートであり、複写投影用の原稿作成時に使用されることが多い。
【発明の開示】
【発明が解決しようとする課題】
【０００３】
部の区切りやジョブの区切りに白紙を挿入する仕切り紙モードの動作に際し、誤って仕切り紙としてＯＨＰシートを使用してしまうと、ＯＨＰシートを適正に使用するとき用紙切れとなってしまうことがある。またＯＨＰシートは高価であるので、コストがかかってしまう。
本発明は、仕切り紙モードを適正に実行することが可能な画像形成装置を提供することを目的とする。
【課題を解決するための手段】
【０００４】
上記目的を達成するために、本発明の第１の手段は、仕切り紙モードを有する画像形成装置において、前記仕切り紙モード時の仕切り紙がＯＨＰシートであるか否かを検知する検知手段と、前記検知手段による検知結果が前記ＯＨＰシートである場合に画像形成ユニットの動作を停止する制御を行う制御手段と、を備えたことを特徴とする。
第２の手段は、仕切り紙モードを有する画像形成装置において、前記仕切り紙モード時の仕切り紙がＯＨＰシートであるか否かを検知する検知手段と、前記検知手段による検知結果が前記ＯＨＰシートである場合にジョブ内の当該ＯＨＰシートについての使用有無をチェックした結果、前記仕切り紙以外の用紙が当該ＯＨＰシートである場合に画像形成ユニットの動作を停止する制御を行う制御手段と、を備えたことを特徴とする。
【０００５】
第３の手段は、仕切り紙モードを有する画像形成装置において、前記仕切り紙モード時の仕切り紙がＯＨＰシートであるか否かを検知する検知手段と、前記検知手段による検知結果が前記ＯＨＰシートである場合にジョブ内の当該ＯＨＰシートについての使用有無をチェックした結果、前記仕切り紙以外の用紙が当該ＯＨＰシートである場合に複数の仕切り紙トレイのうちＯＨＰシート用でない仕切り紙トレイを優先して選択する制御を行う制御手段と、を備えたことを特徴とする。
第４の手段は、第３の手段において、前記制御手段は、前記複数の仕切り紙トレイの全てがＯＨＰシート用である場合に画像形成ユニットの動作を停止することを特徴とする。
【発明の効果】
【０００６】
本発明の画像形成装置によれば、仕切り紙モード時に仕切り紙がＯＨＰシートであるか否かを検知した結果、ＯＨＰシートである場合に画像形成ユニットの動作を停止する制御を行うか、或いはＯＨＰシートである場合に、更にジョブ内のＯＨＰシートについての使用有無をチェックした結果、仕切り紙以外の用紙がＯＨＰシートである場合に画像形成ユニットの動作を停止する制御、又は複数の仕切り紙トレイのうちＯＨＰシート用でない仕切り紙トレイを優先して選択する制御を行う（仕切り紙トレイの全てがＯＨＰシート用である場合には画像形成ユニットの動作を停止する）ため、仕切り紙モードを適正に実行してＯＨＰシートを適正に使用することが可能となる。
【発明を実施するための最良の形態】
【０００７】
以下、本発明の実施形態を図面に従って説明する。
図１は本発明の実施形態に係る画像形成装置の機能ブロック図である。本画像形成装置は、ＣＰＵ（制御手段）１を中心に操作表示ユニット２、給紙トレイ検知部３、画像形成ユニット４を備えている。
そして、操作表示ユニット２は、章区切りモードキー２１、仕切り紙モードキー２２、表紙モードキー２３、給紙トレイ選択キー２４、表示部２５を有する。給紙トレイには専用の用紙が入っているものとする。従って給紙トレイを選択するということは、中に入っている特定の用紙（白紙、色紙、タブ紙、ＯＨＰシートなど）を選択するということになる。章区切りモードとは章の区切りに合紙を挿入するモード、表紙モードとは部の先頭及び、部の最終の用紙を別途容易した表紙に置き換えるモードである。
【０００８】
次に本発明の制御動作（仕切り紙モード設定の際におけるＯＨＰシートの取り扱い）について説明する。
図２は本発明の画像形成装置における第１の制御例を示すフローチャートである。ジョブ開始要求があると（Ｓ１でＹ）、仕切り紙モードが設定されているか判断する（Ｓ２）。仕切り紙モードが設定されていれば、仕切り紙がＯＨＰシートであるか判断する（Ｓ３）。
仕切り紙がＯＨＰシートであればジョブは中断する（Ｓ４）。つまり、ＣＰＵ１は画像形成ユニット４を不作動にする。この際、その旨、操作表示ユニット２の表示部２５に表示してもよい。仕切り紙モードが設定されていなければ、ジョブを実行する（Ｓ５）。
【０００９】
図３は本発明の画像形成装置における第２の制御例を示すフローチャートである。ジョブ開始要求があると（Ｓ１でＹ）、仕切り紙モードが設定されているか判断する（Ｓ２）。仕切り紙モードが設定されていれば、仕切り紙がＯＨＰシートであるか判断する（Ｓ３）。
仕切り紙がＯＨＰシートであれば、ジョブでＯＨＰシートを使用するかどうか調べる（Ｓ４）。ＯＨＰシートを使用する場合は（Ｓ５でＹ）、ジョブは中断する（Ｓ６）。仕切り紙モードが設定されていなければ、ジョブを実行する（Ｓ７）。
【００１０】
図４はジョブ内のＯＨＰシート使用有無チェックのフローチャートである。給紙トレイにＯＨＰシートが入っていれば（Ｓ１でＹ）  ＯＨＰシートを使用する。章区切りモードで（Ｓ２でＹ）、章区切りトレイにＯＨＰシートが入っていれば（Ｓ３でＹ）ＯＨＰシートを使用する。また表紙モードで（Ｓ４でＹ）、表紙トレイにＯＨＰシートが入っていれば（Ｓ５でＹ）ＯＨＰシートを使用する。
【００１１】
図５は本発明の画像形成装置における第３の制御例を示すフローチャートである。ジョブ開始要求があると（Ｓ１でＹ）、仕切り紙モードが設定されているか判断する（Ｓ２）。仕切り紙モードが設定されていれば、仕切り紙がＯＨＰシートであるか判断する（Ｓ３）。仕切り紙がＯＨＰシートであれば、ジョブでＯＨＰシートを使用するかどうか調べる（Ｓ４）。
ＯＨＰシートを使用する場合は（Ｓ５でＹ）、仕切し紙トレイが２つあるとして、まず仕切し紙トレイ１がＯＨＰシートを使っているか判断する（Ｓ６）。使っていればもう１つの仕切し紙トレイ２を使って（Ｓ７）、また仕切し紙トレイ１がＯＨＰシートを使っていなければ、仕切し紙トレイ１を使って（Ｓ８）ジョブを実行する（Ｓ９）。仕切り紙モードが設定されていなければ、ジョブを実行する（Ｓ９）。この例では仕切し紙トレイ２に収容されている用紙がＯＨＰシートの場合もあればそうでない場合もある。
【００１２】
図６は本発明の画像形成装置における第４の制御例を示すフローチャートである。図５との違いは、仕切り紙トレイ２の用紙も判断する（Ｓ７）点である。仕切り紙トレイ２の用紙がＯＨＰシートでない場合にのみ仕切り紙トレイ２を選択して（Ｓ８）、ジョブを実行する（Ｓ１０）。仕切り紙トレイ２の用紙がＯＨＰシートであった場合はジョブを中断する（Ｓ１１）。
【図面の簡単な説明】
【００１３】
【図１】本発明の実施形態に係る画像形成装置の機能ブロック図である。
【図２】本発明の画像形成装置における第１の制御例を示すフローチャートである。
【図３】本発明の画像形成装置における第２の制御例を示すフローチャートである。
【図４】ジョブ内のＯＨＰシート使用有無チェックのフローチャートである。
【図５】本発明の画像形成装置における第３の制御例を示すフローチャートである。
【図６】本発明の画像形成装置における第４の制御例を示すフローチャートである。
【符号の説明】
【００１４】
１  ＣＰＵ（制御手段）
４  画像形成ユニット
【図１】
0004727429.tif 000002
【図２】
0004727429.tif 000003
【図３】
0004727429.tif 000004
【図４】
0004727429.tif 000005
【図５】
0004727429.tif 000006
【図６】
0004727429.tif 000007